(57)【要約】【課題】吸込口部を着脱する際に、吸込口からの塵埃漏れ及び水などの異物の侵入を防ぐことを可能とする吸込みアタッチメント及びこれを用いた電気掃除機の提供。【解決手段】一端側が掃除機本体１に連結可能な連結管部５と、連結管部５の他端側に着脱可能に接続された吸込口部３と、連結管部５の他端側に着脱可能に接続され、連結管部５の他端側の開口部を閉じる連結管閉口部４と、を有し、連結管閉口部４は、吸込口部３の連結管部５への着脱状態に関わらず前記連結管部５に着脱可能な吸込みアタッチメント及びこれを用いた電気掃除機を提供することで、吸込口部３を着脱する際に、吸込口７からの塵埃漏れや、吸込口７からの水などの異物の侵入を防ぐことを可能とする。【選択図】図２
2020130915.tif 000002
【特許請求の範囲】
【請求項１】
一端側が掃除機本体に連結可能な連結管部と、
前記連結管部の他端側に着脱可能に接続された吸込口部と、
前記連結管部の他端側に着脱可能に接続され、前記連結管部の他端側の開口部を閉じる連結管閉口部と、を有し、
前記連結管閉口部は、前記吸込口部の前記連結管部への着脱状態に関わらず前記連結管部に着脱可能な吸込みアタッチメント。
【請求項２】
前記吸込口部は、前記連結管部の外側面に接続し、前記連結管閉口部は、前記連結管部の内側面に接続する構成とした請求項１に記載の吸込みアタッチメント。
【請求項３】
前記連結管閉口部は、前記連結管部への接続側と反対側に取り出し摘み部を設けた、
請求項１または請求項２のいずれか１項に記載の吸込みアタッチメント。
【請求項４】
請求項１〜３のいずれか１項に記載の吸込みアタッチメントを備えた電気掃除機。
【発明の詳細な説明】
【技術分野】
【０００１】
本発明は、吸込みアタッチメント及びこれを用いた電気掃除機に関するものである。
【背景技術】
【０００２】
従来の一般的な電気掃除機においては、吸込みアタッチメントの吸込口にブラシを有する吸込口部と、電気掃除機本体に連結されたホース等と連結する連結部を備えたものがあるが、長期間使用することで吸込口部のブラシが摩耗した吸込みアタッチメントは、毛ブラシを交換する必要がある。しかしながら、吸込みアタッチメントの連結部の構造が複雑で、使用者が自分で吸込口部の毛ブラシを交換することが困難になるという課題を抱えていた。このような問題を解決するために毛ブラシが摩耗した際には、使用者が自ら簡単に吸込口部を交換することが出来るように構成し、交換作業をメーカーに依頼をしたり、吸込みアタッチメント全体を買い換えたり、などの無駄が生じない吸込みアタッチメントを提供する技術が開示されている（例えば、特許文献１）。
【先行技術文献】
【特許文献】
【０００３】
【特許文献１】特開２０１２−３７６号公報
【発明の概要】
【発明が解決しようとする課題】
【０００４】
しかしながら、上述した特許文献１に記載の技術では、吸込みアタッチメントの吸込口部を着脱する際に、吸込口が開口状態であるため、電気掃除機内部の塵埃等が吸込口から外部へ漏れてしまい、不衛生であるといった問題を抱えている。また、吸込口から電気掃除機内部へ水などの異物が侵入されてしまう恐れがあるといった問題を抱えている。
【０００５】
本発明は、このような課題を解決するためのものであり、吸込口部を着脱する際に、吸込口からの電気掃除機内部の塵埃漏れや、吸込口からの水などの異物の電気掃除機内部への侵入を防ぐことを可能とする吸込みアタッチメント及びこれを用いた電気掃除機を提供することを目的とする。
【課題を解決するための手段】
【０００６】
上記従来の課題を解決するために、一端側が掃除機本体に連結可能な連結管部と、連結管部の他端側に着脱可能に接続された吸込口部と、連結管部の他端側に着脱可能に接続され、連結管部の他端側の開口部を閉じる連結管閉口部と、を有し、連結管閉口部は、吸込口部の連結管部への着脱状態に関わらず前記連結管部に着脱可能な吸込みアタッチメント及びこれを用いた電気掃除機を提供する。
【０００７】
上記構成により、吸込口部を着脱する際に、吸込口からの電気掃除機内部の塵埃漏れや吸込口からの水などの異物の電気掃除機内部への侵入を防ぐことを可能とする吸込みアタッチメント及びこれを用いた電気掃除機を提供することを可能とする。
【発明の効果】
【０００８】
本発明の吸込みアタッチメント及びこれを用いた電気掃除機は、吸込口部を着脱する際に、吸込口からの電気掃除機内部の塵埃漏れや、吸込口からの水などの異物の電気掃除機内部への侵入を防ぐことができる。
【図面の簡単な説明】
【０００９】
【図１】本発明の実施の形態における電気掃除機の外観斜視図
【図２】本発明の実施の形態における吸込みアタッチメントを上方から見た外観斜視図
【図３】同、吸込みアタッチメントの分解斜視図
【図４】同、吸込みアタッチメントの連結管部と連結管閉口部の接続部分を示す分解斜視図
【図５】同、吸込みアタッチメントの連結管部に吸込口部を接続した状態の上方から見た外観斜視図
【図６】同、吸込みアタッチメントの連結管部に連結管閉口部を接続した状態の上方から見た外観斜視図
【発明を実施するための形態】
【００１０】
第１の発明の吸込みアタッチメントは、一端側が掃除機本体に連結可能な連結管部と、連結管部の他端側に着脱可能に接続された吸込口部と、連結管部の他端側に着脱可能に接続され、連結管部の他端側の開口部を閉じる連結管閉口部と、を有し、連結管閉口部は、吸込口部の連結管部への着脱状態に関わらず前記連結管部に着脱可能とすることで、吸込口部を着脱する際に、吸込口からの電気掃除機内部の塵埃漏れや吸込口からの水などの異物の電気掃除機内部への侵入を防ぐことを可能とする。ここで、吸込口部の連結管部への着脱状態に関わらずとは、吸込口部が接続されている場合、吸込口部が接続されていない場合、吸込口部の着脱が行われる場合のいずれも含む状態である。
【００１１】
第２の発明は、特に、第１の発明の吸込口部は、連結管部の外側面に接続し、連結管閉口部は、連結管部の内側面に接続する構成とすることで、吸込口部を着脱する際に、吸込口からの電気掃除機内部の塵埃漏れや吸込口からの水などの異物の電気掃除機内部への侵入を防ぐことを可能とする。
【００１２】
第３の発明は、特に、第１の発明または第２の発明の連結管閉口部は、連結管部への接続側と反対側に取り出し摘み部を設けることにより、使用者が容易に連結管閉口部４を着脱可能とする。
【００１３】
第４の発明は、特に、第１〜第３のいずれか１つの発明の吸込みアタッチメントを備えた電気掃除機とすることにより、吸込みアタッチメントの吸込口部を着脱する際に、吸込口からの電気掃除機内部の塵埃漏れや吸込口からの水などの異物の電気掃除機内部への侵入を防ぐことを可能とする。
【００１４】
以下、本発明の実施の形態について、図面を参照しながら説明する。なお、この実施の形態によって本発明が限定されるものではない。
【００１５】
（実施の形態）
以下、図１〜図６を用いて、実施の形態を説明する。
【００１６】
図１は、本発明の実施の形態における電気掃除機の外観斜視図を示すものである。図１において、掃除機本体１は、吸引力を発生させる電動送風機（図示せず）及び集塵部（図示せず）を備えている。吸込みアタッチメント２は、一端側が掃除機本体１に連結されており、集塵部と連通している。
【００１７】
図２は、本発明の実施の形態における吸込みアタッチメントを上方から見た外観斜視図を示すものである。吸込みアタッチメント２は、被清掃面に近づけることにより吸込口７から塵埃を吸込む部位である吸込口部３と、吸込口部３及び連結管閉口部４が一端側に取り付けられ、他端側が掃除機本体１に連結されている連結管部５と、連結管部５の掃除機
本体１との接続側と反対側の開口部である吸込口７（図３参照）を閉じ、電気掃除機内部から外部への塵埃漏れや、外部から電気掃除機内部への水などの異物の侵入を防ぐ連結管閉口部４とを有している。連結管部５は、吸込口部３及び連結管閉口部４が一端側に取り付けられるパイプ部６と、一端側が掃除機本体１に連結される接続部９とを有している。
【００１８】
ここで、連結管閉口部４の外径は吸込口部３の開口縁１５内径よりも小さいため、吸込口部３が連結管部５のパイプ部６に接続された状態においても、連結管閉口部４のパイプ部６への着脱が可能となる。
【００１９】
図３は、本発明の実施の形態における吸込みアタッチメントの分解斜視図を示すものである。図３において、吸込口部３は、パイプ部６の外周面との嵌合部１４と、円状の開口縁１５を備えている。開口縁１５に囲まれている開口は、塵埃を被清掃面から取り込む開口であり、被清掃面上の塵埃を掻き出すと共に家具等に傷をつけないようにする為の毛ブラシ１６が植毛されている。この毛ブラシ１６は、ナイロン糸や馬毛などの柔軟性のある材質で構成されている。
【００２０】
パイプ部６は、掃除機本体１に連結される接続部９と、吸込口部３との嵌合部２０と、パイプ開口端２２を備えている。嵌合部２０には突起部２１が設けられており（本発明の実施の形態では４箇所）、吸込口部３の内周面がパイプ部６の嵌合部２０に入り込む際に、突起部２１を乗り越え、圧入されることで、保持される構成となっている。
【００２１】
図４は、本発明の実施の形態における吸込みアタッチメントの連結管部５と連結管閉口部４の接続部分を示す分解斜視図を示すものである。図４において、連結管閉口部４は、パイプ部６との嵌合部１７と、連結管部５への接続側と反対側に形成され、中央部が略長方形状で先端部が略円弧状（図６参照）の取り出し摘み部１８を有している。
【００２２】
嵌合部１７はパイプ部６の内周面と嵌合する側壁１７ａを有しており、パイプ部６の内周面に側壁１７ａが圧接しながら入り込む際に、自らの復元力で側壁１７ａが外周方向に広がり、パイプ部６の内周面に嵌まり込む。
【００２３】
側壁１７ａには切り欠き部１７ｂが形成されているため、パイプ部６への挿入時に、側壁１７ａが弾性変形しやすく、パイプ部６の内周面へ入り込みやすい構成となっている。
【００２４】
また、取り出し摘み部１８は、連結管部５に連結管閉口部４を接続した状態において、連結管閉口部４の開口縁１５よりも外側（連結管部５への接続側と反対側）に延出しており、使用者が容易に連結管閉口部４を着脱可能となっている。
【００２５】
なお、上記で説明したとおり、連結管部５に吸込口部３と連結管閉口部４とが接続された場合、連結管閉口部４の外径は吸込口部３の開口縁１５内径よりも小さいため、吸込口部３が連結管部５のパイプ部６に接続された状態においても、連結管閉口部４のパイプ部６への着脱が可能となる。
【００２６】
図５は、本発明の実施の形態における吸込みアタッチメント２の連結管部５に吸込口部３を接続した状態の上方から見た外観斜視図を示すものである。図５において、吸込みアタッチメント２の連結管部５に吸込口部３が接続され、接続部９が掃除機本体１と連結する（図１参照）ことにより、掃除機本体１の電動送風機（図示せず）の吸引力の発生に伴い、吸込口部３を被清掃面に近づけることで塵埃を吸込む。
【００２７】
図６は、本発明の実施の形態における吸込みアタッチメント２の連結管部５に連結管閉口部４を接続した状態の上方から見た外観斜視図を示すものである。図６において、吸込
みアタッチメント２の連結管部５に連結管閉口部４が嵌合により接続されており、吸込口部３を着脱する際に、吸込口７からの電気掃除機内部の塵埃漏れや、吸込口７からの電気掃除機内部への水などの異物の侵入を防ぐことができる。
【００２８】
なお、本発明の実施の形態においては、吸込みアタッチメント２は、一端側が掃除機本体１に直接的に連結されているが、ホースや延長管等を介して連結されるものも含まれる。
【００２９】
また、連結管閉口部４が、吸込口部３の連結管部５への着脱状態に関わらず連結管部５に着脱可能とは、吸込口部３が接続されている場合、吸込口部３が接続されていない場合、吸込口部３の着脱が行われる場合のいずれも含む状態において、連結管閉口部４が連結管部５に着脱可能な構成である。
【００３０】
また、本発明の実施の形態においては、パイプ部６は、円筒状であり、連結管閉口部４は、パイプ部６の内周面との嵌合により接続されているが、パイプ部６が角筒状などで、連結管閉口部４がパイプ部６の内側面との嵌合により接続されていてもよい。また、連結管閉口部４とパイプ部６との接続は、磁石等による接続でもよいし、螺合による接続でも良い。
【００３１】
また、本発明の実施の形態においては、パイプ部６は、円筒状であり、吸込口部３は、パイプ部６の外周面との嵌合により接続されているが、パイプ部６が角筒状などで、吸込口部３がパイプ部６の外側面との嵌合により接続されていてもよい。また、パイプ部６と吸込口部３との接続は、磁石等による接続でもよいし、螺合による接続でも良い。また、パイプ部６と吸込口部３との接続は、パイプ開口端２２における接続でもよい。
【００３２】
また、本発明の実施の形態においては、連結管閉口部４が、パイプ部６の内側面と接続し、吸込口部３が、パイプ部６の外側面と接続しているが、パイプ部６の外径が、パイプ開口端２２付近より接続部９側の方が大きい場合や、連結管閉口部４とパイプ部６との接続部分の連結管閉口部４の外径が、吸込口部３の内径より小さい等の場合、連結管閉口部４が、パイプ開口端２２付近でパイプ部６の外側面と接続し、吸込口部３が、パイプ開口端２２付近より接続部９側でパイプ部６の外側面と接続してもよい。
【００３３】
また、本発明の実施の形態においては、連結管閉口部４が、パイプ部６の内側面と接続し、吸込口部３が、パイプ部６の外側面と接続しているが、パイプ部６の内径が、パイプ開口端２２付近より接続部９側の方が小さい場合や、吸込口部３とパイプ部６との接続部分の吸込口部３の内径が、吸込口部３の外径より小さい等の場合、吸込口部３が、パイプ開口端２２付近でパイプ部６の内側面と接続し、連結管閉口部４が、パイプ開口端２２付近より接続部９側でパイプ部６の内側面と接続してもよい。
【００３４】
また、本発明の実施の形態においては、吸込口部３は、毛ブラシ１６が植毛されているが、開口縁１５のみや、弾力性を有する部材を設けてもよく、開口縁１５は、円状の他、角状などでもよい。
【００３５】
このように、本実施の形態では、吸込みアタッチメント２は、連結管閉口部４が、吸込口部３の連結管部５への着脱状態に関わらず前記連結管部５に着脱可能なため、吸込口部３を着脱する際に、吸込口７からの塵埃漏れ及び水などの異物の侵入を防ぐことを可能である。
【００３６】
また、本実施の形態の連結管閉口部４は、連結管部５への接続側と反対側に取り出し摘み部を設けることにより、使用者が容易に連結管閉口部４を着脱可能となっている。
【００３７】
なお、本発明は、以上の実施の形態の内容に限定されるものではなく、請求項記載の範囲内において種々の変更が可能である。
【産業上の利用可能性】
【００３８】
本発明に係る吸込みアタッチメント及びこれを用いた電気掃除機は、吸込口部を着脱する際に、吸込口からの電気掃除機内部の塵埃漏れや、吸込口からの電気掃除機内部への水などの異物の侵入を防ぐことを可能とするもので、家庭用、業務用を問わず各種電気掃除機に適用することができる。
【符号の説明】
【００３９】
１  掃除機本体
２  吸込みアタッチメント
３  吸込口部
４  連結管閉口部
５  連結管部
６  パイプ部
７  吸込口
９  接続部
１４、１７、２０  嵌合部
１５  開口縁
１６  毛ブラシ
１７ａ  側壁
１７ｂ  切り欠き部
１８  取り出し摘み部
２１  突起部
２２  パイプ開口端
【図１】
2020130915.tif 000003
【図２】
2020130915.tif 000004
【図３】
2020130915.tif 000005
【図４】
2020130915.tif 000006
【図５】
2020130915.tif 000007
【図６】
2020130915.tif 000008